(57)【要約】【課題】情報端末に様々な機能を持つ端末機器の操作手段を構成する。【解決手段】情報端末２と、端末機器５、６、７と、情報端末２に資源供給手段制御通信手段により接続されかつ端末機器からの操作に基づいて端末機器に対する資源を供給する資源供給手段４とからなり、情報端末２は端末機器５の操作を行う操作手段を持つとともに、操作手段を構成する操作手段構成手段を持ち、情報端末２は資源供給手段４と資源供給手段制御通信手段２２を介して通信して資源供給手段４が持つ端末機器の接続情報を取得し、操作手段構成手段は接続情報に基づいて情報端末から操作可能な内容を端末機器毎に変更する。【選択図】図１
2005207635.tif 000002
【特許請求の範囲】
【請求項１】
建て屋に設けられた情報端末と、前記情報端末と同じ建て屋内に設置された端末機器と、資源供給手段制御通信手段により前記情報端末と接続されかつ前記端末機器からの操作に基づいて端末機器に対して資源を供給する資源供給手段とからなり、前記情報端末は、前記端末機器の操作を行う操作手段と、前記操作手段を構成する操作手段構成手段とを持ち、前記情報端末は、前記資源供給手段制御通信手段を介して前記資源供給手段と通信して資源供給手段が持つ端末機器の接続情報を取得し、前記操作手段構成手段は前記接続情報に基づいて情報端末から操作可能な内容を端末機器毎に変更することを特徴とする資源供給システム。
【請求項２】
接続情報は端末機器を操作する操作手段が情報端末のみであることを示す情報を含み、操作手段構成手段は、受信した接続情報に基づいて端末機器を操作する操作手段が情報端末以外にないと判定した場合に操作手段の表示位置を固定する請求項１に記載の資源供給システム。
【請求項３】
端末機器を操作する操作手段が情報端末以外にない端末機器が複数あり、操作手段構成手段は複数の端末機器の数に応じてあらかじめ決められた位置に操作手段を固定する請求項２に記載の資源供給システム。
【請求項４】
操作手段構成手段は、表示位置が固定された端末機器が接続された場合に、固定された位置へその他の端末機器の操作手段を移動不可とする請求項２または３に記載の資源供給システム。
【請求項５】
操作手段構成手段は、操作手段が情報端末以外にない端末機器を認識した場合に、前記端末機器の設定を行う操作手段を構成する請求項２に記載の資源供給システム。
【請求項６】
操作手段構成手段が構成する操作手段は、端末機器の運転状態を設定する運転状態選択手段を含む請求項５に記載の資源供給システム。
【請求項７】
操作手段構成手段が構成する操作手段は、端末機器の運転を制御する時刻を設定するタイマー設定手段を含む請求項５に記載の資源供給システム。
【請求項８】
操作手段構成手段が構成する操作手段は、端末機器の操作を不可とするロック手段を含む請求項５に記載の資源供給システム。
【請求項９】
接続情報は端末機器が持つ運転モードを示す情報を含み、端末機器は複数の運転モードを持ち、前記接続情報に基づき操作手段構成手段が構成する操作手段は、前記端末機器の複数の運転モードを変更する操作を行う請求項１に記載の資源供給システム。
【請求項１０】
端末機器は浴室暖房乾燥機であり、操作手段構成手段は暖房運転と乾燥運転とを含む少なくとも２つの運転モードを切り替えて操作する操作手段を構成する請求項９に記載の資源供給システム。
【請求項１１】
端末機器は空調機であり、操作手段構成手段は暖房運転と冷房運転とを含む少なくとも２つの運転モードを切り替えて操作する操作手段を構成する請求項９に記載の資源供給システム。
【請求項１２】
請求項１〜１１のいずれか１項記載の資源供給システムの少なくとも一部をコンピュータに実現させるためのプログラム。
【発明の詳細な説明】
【技術分野】
【０００１】
本発明は温水や電力、ガス、水などの資源を端末機器に供給する資源供給システムおよびそのプログラムに関し、特に端末機器を遠隔に操作するものである。
【背景技術】
【０００２】
従来の資源供給システムについて説明する。従来の資源供給システムのひとつである温水給湯暖房システムでは、例えば下記特許文献１では以下のようになっていた。図２１に従来の資源供給システムのフローチャートを示す。
【０００３】
この従来例では、資源供給手段として給湯器、台所リモコン、複数個の端末機器からなり、複数個の端末機器と台所リモコンとの接続が完了（１０１）した場合に端末機器側から台所リモコンに対し一定時間間隔で信号を出力（１０２）し、台所リモコンがこの信号を受信し、端末機器を認識する（１０３）と台所リモコンの表示部に機器に対応するアイコンや文字情報を表示する（１０４）とともに、台所リモコン側から端末機器に対して信号を出力する（１０５）。この結果、端末機器を接続したときその接続した機器であることを認識することができる。
【特許文献１】特開２０００−２９２００６号公報
【発明の開示】
【発明が解決しようとする課題】
【０００４】
しかしながら、前記従来の構成では、操作手段を自動で構成する手段が無く、家々により異なる端末機器の構成に対し最適な操作手段を構成するために画面配置や端末機器の名称、機器を直感的に判るようにするためのアイコンの選択、端末機器を設置する部屋の名称など一つ一つ手で入力設定する必要があり、大変な手間がかかるという課題を有していた。
【０００５】
また、情報端末に操作手段を構成する端末機器には床暖房機や浴室暖房乾燥機、空調機など様々な種類があり、機器に応じた操作手段を構成することが困難であった。
【０００６】
さらに、機器を削減するために端末機器専用の操作機器をなくし、情報端末に端末機器の操作機能を全て持たせる場合があり、このとき情報端末に端末機器の持つ全ての機能を操作可能とする操作手段を構成する必要があった。
【０００７】
本発明は、前記従来の課題を解決するもので、資源供給手段から取得した情報を用いて情報端末に端末機器ごとに必要な操作手段を構成するすることができる資源供給システムおよびそのプログラムを提供することを目的とする。
【課題を解決するための手段】
【０００８】
前記従来の課題を解決するために、本発明の資源供給システムおよびそのプログラムは、建て屋に設けられた情報端末と、前記情報端末と同じ建て屋内に設置された端末機器と、資源供給手段制御通信手段により前記情報端末と接続されかつ前記端末機器からの操作に基づいて端末機器に対して資源を供給する資源供給手段とからなり、前記情報端末は前記端末機器の操作を行う操作手段と、前記操作手段を構成する操作手段構成手段とを持ち、前記情報端末は前記資源供給手段制御通信手段を介して前記資源供給手段と通信して資源供給手段が持つ端末機器の接続情報を取得し、前記操作手段構成手段は前記接続情報に基づいて情報端末から操作可能な内容を端末機器毎に変更するものである。
【０００９】
これによって、資源供給手段が持つ端末機器の接続情報に基づいて端末機器の機能にあわせた操作手段を情報端末に構成することができるので、端末機器の様々な機能を情報端末から操作可能とすることができる。
【発明の効果】
【００１０】
本発明の資源供給手段およびそのプログラムは、情報端末に端末機器がそれぞれ個別に持つ様々な機能を操作するための操作手段を構成することが可能で、使いやすい資源供給システムを提供することができる。
【発明を実施するための最良の形態】
【００１１】
第１の発明は建て屋に設けられた情報端末と、前記情報端末と同じ建て屋内に設置された端末機器と、資源供給手段制御通信手段により前記情報端末と接続されかつ前記端末機器からの操作に基づいて端末機器に対して資源を供給する資源供給手段とからなり、前記情報端末は前記端末機器の操作を行う操作手段と、前記操作手段を構成する操作手段構成手段とを持ち、前記情報端末は前記資源供給手段制御通信手段を介して前記資源供給手段と通信して資源供給手段が持つ端末機器の接続情報を取得し、前記操作手段構成手段は前記接続情報に基づいて情報端末から操作可能な内容を端末機器毎に変更することにより、資源供給手段が持つ端末機器の接続情報に基づいて端末機器の機能にあわせた操作手段を情報端末に構成することができるので、情報端末に端末機器がそれぞれ個別に持つ様々な機能を操作するための操作手段を構成することが可能で、使いやすい資源供給システムを提供することができる。
【００１２】
第２の発明は、接続情報は端末機器を操作する操作手段が情報端末のみであることを示す情報を含み、操作手段構成手段は、受信した接続情報に基づいて端末機器を操作する操作手段が情報端末以外にないと判定した場合に操作手段の表示位置を固定することにより、端末機器の持つ様々な機能を操作する操作手段に関連する位置に操作手段を構成することができ、端末機器を操作しやすい資源供給システムを提供することができる。
【００１３】
第３の発明は、端末機器を操作する操作手段が情報端末以外にない端末機器が複数あり、操作手段構成手段は数に応じてあらかじめ決められた位置に操作手段を固定することにより、端末機器が複数ある場合でも端末機器の持つ様々な機能を操作する操作手段に関連する位置に操作手段を構成することができ、端末機器を操作しやすい資源供給システムを提供することができる。
【００１４】
第４の発明は、操作手段構成手段は、表示位置の固定された端末機器が接続された場合に、固定された位置へその他の端末機器の操作手段を移動不可とすることにより、端末機器の様々な操作を行う操作手段に関連する位置にその他の端末機器の操作手段を構成してしまうことがなく、操作しやすさを維持できる資源供給システムを提供することができる。
【００１５】
第５の発明は、操作手段構成手段は、情報端末以外に操作手段を持たない端末機器を認識した場合に、前記端末機器の設定を行う操作手段を構成することにより、端末機器の持つ様々な機能を操作する操作手段を、その操作が必要な端末機器を認識したときに構成するので、必要なときに必要な操作を行うための操作手段を構成する資源供給システムを提供することができる。
【００１６】
第６の発明は、操作手段構成手段が構成する操作手段が、端末機器の運転状態を設定する運転状態選択手段を含むものとすることにより、複数の運転状態を持つ端末機器の場合に資源供給手段から受信した接続情報に基づき端末機器の運転状態を設定する運転状態選択手段を操作手段として構成するので、端末機器を操作する手段が情報端末のみであっても情報端末から端末機器の複数の運転状態を切り替えることができる資源供給システムを提供することができる。
【００１７】
第７の発明は、操作手段構成手段が構成する操作手段が、端末機器の運転を制御する時刻を設定するタイマー設定手段を含むものとすることにより、設定したタイマーの時刻に合わせて運転をオンまたはオフにするタイマー機能を情報端末から操作できるので、端末機器を操作する手段が情報端末のみであってもタイマー機能を使用できる資源供給システムを提供することができる。
【００１８】
第８の発明は、操作手段構成手段が構成する操作手段は、端末機器の操作を不可とするロック手段を含むものとすることにより、端末機器を長期間使用しない場合に間違って運転しないようにするロック手段を情報端末から操作できるので、端末機器を操作する手段が情報端末のみであってもロック手段を使用できる資源供給システムを提供することができる。
【００１９】
第９の発明は、接続情報は端末機器が持つ運転モードを示す情報を含み、端末機器は複数の運転モードを持ち、前記接続情報に基づき操作手段構成手段が構成する操作手段は、前記端末機器の複数の運転モードを変更する操作を行うことにより、端末機器の持つ複数の機能を切り替えて操作する操作手段を構成でき、端末機器の複数の機能を操作できる資源供給システムを提供することができる。
【００２０】
第１０の発明は、端末機器が浴室暖房乾燥機であり、操作手段構成手段は暖房運転と乾燥運転とを含む少なくとも２つの運転モードを切り替えて操作する操作手段を構成することにより、浴室暖房乾燥機の暖房機能と乾燥機能の少なくとも二つの機能を切り替えて操作できる操作手段を構成でき、端末機器の複数の機能を操作できる資源供給システムを提供することができる。
【００２１】
第１１の発明は、端末機器が空調機であり、操作手段構成手段は暖房運転と冷房運転とを含む少なくとも２つの運転モードを切り替えて操作する操作手段を構成することにより、空調機が持つ暖房機能と冷房機能の少なくとも二つの機能を切り替えて操作できる操作手段を構成でき、端末機器の複数の機能を操作できる資源供給システムを提供することができる。
【００２２】
第１２の発明は、第１〜９のいずれか１項記載の資源供給システムの少なくとも一部をコンピュータに実現させるためのプログラムである。そして、プログラムであるのでＣＰＵ（マイコン）、ＲＡＭ、ＲＯＭ、記憶装置、Ｉ／Ｏなどを備えた電気情報機器、コンピュータ、サーバー等のハードリソースを協働させて本発明資源供給システムの少なくとも一部を容易に実現することができる。また記録媒体に記録したり通信回線を用いてプログラムを配信したりすることでプログラムの配布やインストール作業が簡単にできる。
【００２３】
以下本発明の実施の形態について、図面を参照しながら説明する。なお、この実施の形態によって本発明が限定されるものではない。
【００２４】
（実施の形態１）
本発明の実施の形態１の資源供給システムを図面とともに説明する。
【００２５】
実施の形態１の資源供給システムはふろ給湯暖房システムの台所リモコンに用いた例を示す。図１は本発明の実施の形態１の資源供給システムの全体ブロック図、図２〜８はシステムの情報端末等の詳細ブロック図、図９は情報端末である台所リモコンの外観図、図１０〜１２と図２０は表示手段２ｃに表示される操作手段の画面図、図１３〜１９は操作手段生成手段のフローチャートである。
【００２６】
図１に示すように本実施の形態の資源供給システムは、データを端末に配信するサーバー１、情報端末である台所リモコン２、浴室リモコン３、資源供給手段である熱源機４、熱源機４から供給される温水により部屋の床面を暖房する端末機器である第１の床暖房機５と第２の床暖房機６、および熱源機４から供給される温水により浴室を暖房する端末機器である浴室暖房機７から構成される。
【００２７】
サーバー１はふろ給湯暖房システムの販売元のサーバー設置業者に設置され、台所リモコン２、浴室リモコン３、熱源機４、第１の床暖房機５、第２の床暖房機６、浴室暖房機７はふろ給湯機が設置されたふろ給湯機設置住宅に設置される。サーバー１と台所リモコン２とは公衆回線網２０により接続されて相互にデータの送受信が可能となっており、台所リモコン２と浴室リモコン３と熱源機４との間は資源供給手段制御通信手段である熱源機制御通信手段２２により接続されて台所リモコン２及び浴室リモコン３から熱源機４の操作を行なうとともに、台所リモコン２及び浴室リモコン３に熱源機４の運転状況のモニター表示を行なえるようにしている。
【００２８】
図６のように、第１の床暖房機５は床面に埋め込まれて配設される第１の床暖房温水配管５ａと温水の供給を制御する床暖房リモコン５ｂとからなるが、図７のように、第２の床暖房機６は床面に埋め込まれて配設される第２の床暖房温水配管６ａのみからなり床暖房リモコンの機能は台所リモコン２が持っている。また、図８のように、浴室暖房機７は浴室を暖房する浴室暖房温水配管７ａと温水の供給を制御する浴室暖房リモコン７ｂとからなる。
【００２９】
図１のように、熱源機４と床暖房リモコン５ｂと浴室暖房リモコン７ｂとは機器通信手段２３により接続され、床暖房リモコン５ｂと浴室暖房リモコン７ｂの操作内容や熱源機４の運転状況などの通信を行う。また、第２の床暖房機６では台所リモコン２の操作内容や熱源機の運転状況の通信を熱源機制御通信手段２２を通じて行われる。
【００３０】
また、熱源機４と第１の床暖房温水配管５ａと第２の床暖房温水配管６ａと浴室暖房温水配管７ａとは熱源機４が生成する温水を供給するための暖房温水配管２６で接続され、それぞれ、床暖房リモコン５ｂ、台所リモコン２、浴室暖房リモコン７ｂの操作により熱源機４から温水を供給する。機器通信手段２３において通信される運転状況の情報等は熱源機制御通信手段２２を通じて台所リモコン２に伝達され、台所リモコン２で第１の床暖房機５や浴室暖房機７の運転状況を確認できるようになっており、さらに、台所リモコン２を操作することにより台所リモコン２から第１の床暖房機５や浴室暖房機７の運転を制御することも可能としている。
【００３１】
上記のうち、サーバー１は図２のように、サーバー１を制御するサーバー制御手段１ａ、サーバー１へデータの入力をしたりサーバー１の操作を行なうサーバー入力手段１ｂ、サーバー１の動作状況など必要な情報を表示するサーバー出力手段１ｃ、データー入力手段１ｂから入力されたり台所リモコン２から受信したデータを記憶するサーバー記憶手段１ｄ、サーバー１と台所リモコン２とを公衆回線網２０を通じて接続するサーバー端末通信手段１ｅとからなる。
【００３２】
また、台所リモコン２は図３のように、台所リモコン２を制御する台所リモコン制御手段２ａ、台所リモコン２を操作する台所リモコン操作手段２ｂ、熱源機４の動作状況など必要な情報を表示する台所リモコン表示手段２ｃ、あらかじめ登録されたデータや台所リモコン２から受信したデータを記憶する台所リモコン記憶手段２ｄ、浴室リモコン３や熱源機４と通信して熱源機の制御を行なうための通信を行なう台所リモコン熱源機通信手段２ｅ、台所リモコン２とサーバー１とを公衆回線網２０を通じて接続する台所リモコンサーバー通信手段２ｆ、外部記憶手段を接続し外部記憶手段と制御手段２ａとの間で相互にデータの入出力を行うための外部記憶入出力手段２ｇ、台所リモコン操作手段２ｂと台所リモコン表示手段２ｃとを用いて熱源機に接続された端末機器の切／入の操作を行うための操作手段である端末機器操作手段２ｈ、端末機器操作手段２ｈを構成するための操作手段構成手段２ｉ、第２の床暖房機６を制御する床暖房制御手段２ｊとからなる。
【００３３】
なお、台所リモコン操作手段２ｂには図９のように、給湯運転ボタン２ｂａ、ふろ自動ボタン２ｂｂ、通話ボタン２ｂｃ、戻るボタン２ｂｄ、矢印ボタン２ｂｅ、決定ボタン２ｂｆの各ボタンがある。また、外部記憶入出力手段２ｇはＳＤ（Ｓｅｃｕａ  Ｄａｔａ）カードインターフェースを用いている。
【００３４】
また、記憶手段２ｄには熱源機４と接続されてない場合に端末機器の接続情報を仮に記憶させる非接続時設定情報２ｄ１と熱源機３と接続されている場合に熱源機から取得した端末機器の接続情報に基づく接続時設定情報２ｄ２とを記憶させている。
【００３５】
また、端末機器操作手段２ｈは、台所リモコン記憶手段２ｄに記憶され、必要に応じて台所リモコン表示画面２ｃに表示されて台所リモコン操作手段２ｂをもちいて操作することにより該当する端末機器を操作する。
【００３６】
また、浴室リモコン３は図４のように、浴室リモコン３を制御する浴室リモコン制御手段３ａ、浴室リモコン３を操作する呼び出し手段である浴室リモコン操作手段３ｂ、熱源機４の動作状況など必要な情報を表示する浴室リモコン表示手段３ｃ、あらかじめ登録されたデーターや台所リモコン２から受信したデータを記憶する浴室リモコン記憶手段３ｄ、台所リモコン２や熱源機４と通信して熱源機の制御を行なうための通信を行なう浴室リモコン熱源機通信手段３ｅとからなる。
【００３７】
また、熱源機４は図５のように、熱源機４を制御する熱源機制御手段４ａ、台所リモコン２および浴室リモコン３と通信して操作情報の受信や運転状況の送信を行なう熱源機リモコン通信手段４ｂ、熱源機制御手段４ａの指示により温水を生成する熱交換器４ｃ、熱交換器の温水の流量を検出する流量センサ４ｄ、熱交換器４ｃの燃焼の有無を検出する燃焼センサ４ｅ、ふろの湯量を検出するふろ湯量センサ４ｆ、ふろの湯温を検出するふろ湯温センサ４ｇ、床暖房リモコン５ｂや浴室暖房リモコン７ｂと通信して操作情報の受信や運転状況の送信を行う熱源機機器通信手段４ｈ、給湯温水配管２４に接続しカランやシャワーなどに温水を給湯する給湯温水供給手段４ｉ、ふろ温水配管２５に接続しふろの湯沸しや追い炊きを行うふろ温水供給手段４ｊ、暖房温水配管２６に接続し第１の床暖房機５、第２の床暖房機６や浴室暖房機７へ温水を供給する暖房温水供給手段４ｋとからなる。なお、熱源機機器通信手段４ｈは床暖房機などの暖房端末を複数接続できるように６個のコネクタ（図示せず）を配置している。
【００３８】
また、暖房温水供給手段４ｋは複数の低温端末接続配管と高温端末接続配管とを持ち、低温端末接続配管には床暖房機などの低温端末、また高温端末接続配管には浴室暖房機や温水エアコンなどの高温端末をそれぞれ接続する。複数の低温端末接続配管はそれぞれに弁が配置されており、配管毎に１対１で対応するコネクタに接続された端末機器からの操作により、対応する低温端末接続配管の弁を開閉できるようになっている。
【００３９】
また、第１の床暖房機５は図６のように、前述のように第１の床暖房温水配管５ａと床暖房リモコン５ｂとからなり、第１の床暖房温水配管５ａは暖房温水配管２６に接続されて温水を通すことにより床面を温める床暖房を行う。床暖房リモコン５ｂは、床暖房の機能を制御する床暖房制御手段５ｂａ、運転状況を表示する床暖房表示手段５ｂｂ、床暖房機能の操作を行う床暖房操作手段５ｂｃ、機器通信手段２３を通じて熱源機４との通信を行う床暖房機器通信手段５ｂｄとからなり、熱源機４の熱源機機器通信手段４ｈの複数のコネクタのうち第１の床暖房温水配管５ａに接続された低温端末接続配管に１対１で対応したコネクタに接続され機器通信手段２３を介して通信して制御情報を送信し、床暖房機５への温水の供給を制御する。
【００４０】
なお、床暖房機は暖房運転時には、熱源機４に対して６０℃または７２℃の温水を要求し、熱源機４の低温端末接続用配管に接続される。
【００４１】
また、第２の床暖房機６は図７に示すように、第２の床暖房温水配管６ａのみからなり、第２の床暖房温水配管６ａは暖房温水配管２６に接続されて温水を通すことにより床面を温める床暖房を行う。第２の床暖房機６の操作は台所リモコン２を用いて行われ、台所リモコン２の操作手段構成手段２ｉにより構成された操作手段を用いて操作し、操作手段の操作結果に応じて床暖房制御手段２ｊが熱源機御通信手段２２を通じ熱源機に制御信号を送信することにより制御を行なう。
【００４２】
なお、熱源機４の熱源機器通信手段４ｈの複数のコネクタのうち第２の床暖房温水配管６ａに接続された低温端末接続配管に１対１で対応したコネクタへ床暖房リモコンが無い端末を接続していることを示すケーブルを装着し、熱源機４はケーブルの装着を認識することによりこの端末機器は床暖房リモコンがなく台所リモコン２から操作される機器であることを認識し、台所リモコン２へその情報を送信している。
【００４３】
また、浴室暖房機７は図８のように、前述のように浴室暖房温水配管７ａと浴室暖房リモコン７ｂとからなり、浴室暖房温水配管７ａは暖房温水配管２６に接続されて温水を通すことにより床面を温める浴室暖房を行う。浴室暖房リモコン７ｂは、浴室暖房の機能を制御する浴室暖房制御手段７ｂａ、運転状況を表示する浴室暖房表示手段７ｂｂ、浴室暖房機能の操作を行う浴室暖房操作手段７ｂｃ、機器通信手段２３を通じて熱源機４との通信を行う浴室暖房機器通信手段７ｂｄとからなり、熱源機４の熱源機器通信手段４ｈの複数のコネクタのうち浴室暖房温水配管７ａに接続された高温端末接続配管に対応するコネクタの一つに接続され機器通信手段２３を介して通信して制御情報を送信し、浴室暖房機７への温水の供給を制御する。なお、床暖房機は暖房運転時には、熱源機に対して８０℃の温水を要求し、熱源機４の高温端末接続用配管に接続される。
【００４４】
以上の構成による作用を示す。
【００４５】
熱源機設置住宅の住人が台所で温水を利用する場合、まず台所リモコン図９の操作手段２ｂの給湯運転ボタン２ｂａを押すと、給湯機４が運転を開始させる。運転ボタン２ｂａを押して給湯運転ＯＮさせる指示は、台所リモコン熱源機通信手段２ｅから熱源機制御通信手段２２を通じて熱源機４へ伝達され、熱源機４は熱源機リモコン通信手段４ｂにより受信した給湯運転ＯＮ指示の電文により熱源機制御手段４ａが熱源機の給湯運転をＯＮする。
【００４６】
この状態で、台所の給湯温水のカラン（図示せず）を開くと熱源機の給湯温水路（図示せず）の水路が開き熱源機の給湯温水路に上水道から供給された水が流れ、給湯温水路に設置された流量センサ４ｄが給湯温水路の水流を検出して熱交換器を点火し燃焼による給湯用温水の生成を開始する。熱交換器の燃焼は燃焼センサ４ｅにより検出され、燃焼中であるという情報が熱源機リモコン通信手段４ｂから熱源機制御通信手段２２により台所リモコン２と浴室リモコンに送信され、台所リモコン２と浴室リモコン３では台所リモコン熱源機通信手段２ｅ、浴室リモコン熱源機通信手段３ｅが受信したデータに基づき、台所リモコン表示手段２ｃ、浴室リモコン表示手段３ｃに燃焼マークを表示して、熱源機４の給湯燃焼を報知する。
【００４７】
熱交換器４ｃで生成された給湯温水は住宅内の給湯温水配管２４を経て台所のカランから流出する。カランを閉じると、給湯温水配管２４と熱源機４の給湯温水路の水流が停止し、流量センサ４ｄが水流の停止を検出し、熱交換器４ｃを消火し給湯温水の生成を停止する。
【００４８】
燃焼が停止したことを燃焼センサ４ｅが検出すると、燃焼中でないという情報が熱源機リモコン通信手段４ｂから熱源機制御通信手段２２により台所リモコン２と浴室リモコン３に送信され、台所リモコン２と浴室リモコン３では台所リモコン熱源機通信手段２ｅ、浴室リモコン熱源機通信手段３ｅが受信したデータに基づき、台所リモコン表示手段２ｃ、浴室リモコン表示手段３ｃに表示されている燃焼マークを消去し、燃焼中でないことを明示する。
【００４９】
一方、ふろを沸かす場合では、台所リモコン操作手段２ｂのふろ自動ボタン２ｂｂを押すと、ふろ自動運転を開始する。ふろ自動ボタン２ｂｂを押してふろ自動運転をＯＮさせる指示は、台所リモコン熱源機通信手段２ｅから熱源機制御通信手段２２を通じて熱源機４へ伝達され、熱源機４は熱源機リモコン通信手段４ｂにより受信したふろ自動ＯＮ指示の電文により熱源機制御手段４ａが熱源機のふろ自動運転を開始する。
【００５０】
ふろ自動では、ふろ湯量センサ４ｆが検出したふろの残り湯の状況に応じて水量が設定水量に足りない場合は給湯温水供給手段４ｉからふろ温水配管２５へ温水を供給しながらあらかじめ設定された水量のお湯を張り、ふろ温水供給手段４ｊにより温水を循環させてふろ湯温をあらかじめ設定された温度に調整し、ふろ湯量センサ４ｆがあらかじめ設定された水量と湯温に到達したことを検出するとお湯張りが完了して保温へ移行する。保温では、ふろ湯温センサ４ｇにより湯温の低下を検出するとふろにたまっているお湯をふろ温水配管２５からふろ温水供給手段４ｊを通じて熱交換器４ｃへ導いて循環させ湯温を上げる追い炊きを行ない、設定された湯温に戻ると追い炊きを停止する、という動作を繰り返し、あらかじめ設定された保温時間の間、この動作を継続する。
【００５１】
このような熱源機４の動作内容は熱源機制御通信手段２２により熱源機４から台所リモコン２および浴室リモコン３へ送信され、台所リモコン２と浴室リモコン３では台所リモコン熱源機通信手段２ｅ、浴室リモコン熱源機通信手段３ｅが受信したデータに基づき、熱源機４の運転状況に応じた表示を台所リモコン表示手段２ｃ、浴室リモコン表示手段３ｃに行なう。
【００５２】
カランから出湯するお湯の温度、ふろ自動で用いるお湯張り水量、温度はあらかじめ台所リモコン２または浴室リモコン３の各リモコン操作手段により入力されて熱源機４へ送信され、熱源機記憶手段４ｌにより設定値を記憶する。浴室リモコン３または台所リモコン２で設定されるたびに熱源機４に送信され、新しい設定値が送信されるたびに設定値を入れ替える。
【００５３】
また、床暖房リモコン５ｂから第１の床暖房機５を操作する場合には、床暖房操作手段５ｂｃを操作して運転を開始すると、運転開始の情報が床暖房機器通信手段５ｂｄにより熱源機４に伝達され、熱源機４では熱源機機器通信手段４ｈが受信した電文に基づいて暖房温水供給手段４ｋを動作させて暖房温水配管２６を経て第１の床暖房温水配管５ａへ温水を供給する。運転の状況は床暖房表示手段５ｂｂへ表示され、床暖の運転状況を確認できる。
【００５４】
また、台所リモコン２から第２の床暖房機６を操作する場合には、台所リモコン表示手段２ｃに表示された表示画面に基づいて台所リモコン操作手段２ｂを操作して運転を開始すると、床暖房制御手段２ｊが運転開始の情報を熱源機通信手段２ｅから熱源機機器通信手段２２を通じて熱源機４に送信し、熱源機４ではリモコン通信手段４ｂが受信した電文に基づいて暖房温水供給手段４ｋを動作させて暖房温水配管２６を経て第２の床暖房温水配管６ａへ温水を供給する。運転の状況は表示手段２ｃへ表示され、床暖の運転状況を確認できる。
【００５５】
また、浴室暖房リモコン７ｂから浴室暖房機７を操作する場合には、浴室暖房操作手段７ｂｃを操作して運転を開始すると、運転開始の情報が浴室暖房機器通信手段７ｂｄにより熱源機４に伝達され、熱源機４では熱源機機器通信手段４ｈが受信した電文に基づいて暖房温水供給手段４ｋを動作させて暖房温水配管２６を経て浴室暖房温水配管７ａへ温水を供給する。運転の状況は浴室暖房表示手段７ｂｂへ表示され、浴室暖房の運転状況を確認できる。
【００５６】
なお、本実施例の資源供給システムでは、床暖房機５と浴室暖房機７の運転状況の表示と運転操作を台所リモコン２からも行えるようにしている。これは、操作手段構成手段２ｉを用いて台所リモコン２に暖房機器の運転状況を表示し操作を実現するための端末機器操作手段２ｈを構成し、操作内容を熱源機制御通信手段２２を通じて台所リモコン２から熱源機４へ伝達し、熱源機４では受信した内容に応じて暖房温水供給手段４ｋを動作させ、さらに機器通信手段２３を通じて熱源機４から床暖房リモコン５ｂや浴室暖房リモコン７ｂへ操作内容を伝達することにより、必要な制御を行って、台所リモコン２からの操作を反映する。
【００５７】
また、床暖房リモコン５ｂや浴室暖房リモコン７ｂで行われた操作についても、機器通信手段２３を通じて熱源機４が受信した内容を台所リモコン２へ転送し、台所リモコン２は、熱源機制御通信手段２２から受信した電文に基づき、表示手段２ｃに暖房機器の運転状況を表示することができる。
【００５８】
次に、台所リモコン２から床暖房機５と浴室暖房機７を操作するための操作手段と第２の床暖房機６の操作手段を台所リモコン２へ構成する方法について説明する。
【００５９】
熱源機４に接続される暖房機器は設置される住宅により異なっているため、設置する家庭の状況に合わせて操作手段を構成する必要がある。
本実施例では、台所リモコン２を実際の住宅に設置する前に、設置手段構成手段２ｉを用いてあらかじめ設置予定の第１の床暖房機５、第２の床暖房機６や浴室暖房機７、または、温水エアコンや温風ヒーター、パネルヒータといった温水を用いて暖房する端末機器を操作するための情報を非接続時設定情報２ｄ１に仮に入力しておき、台所リモコン２を住宅に設置し熱源機４と接続したときに、熱源機４が収集した実際に設置され接続された端末機器の接続情報を熱源機４から取得して、台所リモコンに入力された非接続時設定情報２ｄ１と熱源機から取得した端末機器の接続情報とを接続時設定情報２ｄ２に反映し台所リモコン２から操作可能な端末機器操作手段２ｈを構成できるようにしている。
【００６０】
構成される端末機器操作手段２ｈは図１０のように、台所リモコン表示手段２ｃに表示させる床暖房２ｃａ、２ｃｂと浴室暖房乾燥２ｃｃといった接続された端末機器に対応する表示エリアを持ち、それぞれの表示エリア上に必要な情報や操作のためのアイコンを配置する。ここに設置された部屋名２ｃａａ、２ｃｂａ、２ｃｃａ、設置された機器名２ｃａｂ、２ｃｂｂ、２ｃｃｂ、２ｃｃｅ、運転の切／入に応じて色が変わるアイコン２ｃａｃ、２ｃｂｃ、２ｃｃｃ、２ｃｃｆ、切／入の操作を行う操作アイコン２ｃａｄ、２ｃｂｄ、２ｃｃｄ、２ｃｃｇを配置して構成されている。
【００６１】
ここで浴室暖房乾燥では暖房機能と乾燥機能の両方を操作できる操作手段の例であり、暖房機能をオンにすると乾燥機能がオンであった場合にはオフになるように制御される。逆に乾燥機能をオンにする場合には暖房機能がオンであった場合には暖房機能をオフにする。操作アイコンは台所リモコン操作手段２ｂを用い、移動ボタン２ｂｅによりカーソルを移動させて操作する操作アイコンに合わせ、決定ボタン２ｂｆを押すことにより操作する。
【００６２】
画面上に生成するボタンを接続された端末機器の一つに割り当て、そのボタンが操作されたときに熱源機制御通信手段２２を通じて熱源機４に操作内容を伝達し、熱源機４では受信した内容に基づき、機器通信手段２３を通じて割り当てられた端末機器に操作内容を伝達し、端末機器が受信した内容に基づいて機器の運転を変更する。
【００６３】
また、本実施例では、床暖房リモコンを設置する代わりに、台所リモコン２に床暖房リモコンの機能を構成し、床暖房機能を台所リモコン２から操作できるようにすることにより専用の床暖房リモコンを廃止することを実現している。床暖房リモコンを廃止することにより、壁面に設置するリモコン類を削減することができ、インテリアデザインに配慮できるシステムを実現できる。
【００６４】
これは、すでに述べたように、熱源機４のコネクタに専用のケーブルを挿入し、熱源機４に台所リモコン２が制御する床暖房機として認識させ、その情報を接続情報として台所リモコン２が熱源機制御通信手段２２を通じて熱源機４から受信できるようにしている。
【００６５】
台所リモコン２では操作手段構成手段２ｉが熱源機４から受信した接続情報に応じて、必要とする操作手段を構成する。図１０に示す端末機器操作画面は本実施例の床暖房リモコンを設置しない床暖房機が存在する場合の操作手段を示す。操作手段の画面２ｃには、３つの端末機器の操作手段２ｃａ、２ｃｂ、２ｃｃが表示されている。このうち、左端の２ｃａは床暖房リモコンが廃止され台所リモコン２から全ての操作を行う床暖房機、すなわち第２の床暖房機６の操作手段であり、操作手段の領域が濃く表示され他の端末と区別可能に表示されている。また、操作手段の左下部に床暖房温度を操作する床暖房温度アイコン２ｃｄとタイマーを操作する床暖房タイマーアイコン２ｃｅとが並んで配置されている。この二つのアイコンは、床暖房リモコンが廃止され台所リモコン２から全ての操作を行う床暖房機器が接続されたときにのみ表示されるアイコンであり、第２の床暖房機６の温度とタイマーの操作を行う。
【００６６】
床暖房温度アイコン２ｃｄを押すと、図１１に示す運転状態選択手段である温度変更画面２ｃｄａを表示する。この操作手段では、温度上昇アイコン２ｃｄｄを選択すると温度を一段階上昇させ、温度減少アイコン２ｃｄｅを選択すると温度を一段階減少させる。操作の結果は温度バー２ｃｄｃに反映され、設定された状態をバーの濃淡で表示する。また、温度変更画面２ｃｄａではあらかじめ設定された暖房機器の名称２ｃｄｂも表示されている。
【００６７】
床暖房タイマーアイコン２ｃｅを選択すると図１２に示すタイマー設定手段であるタイマー設定画面２ｃｅａを表示する。タイマーはタイマー１、タイマー２の二つのタイマーを持ち、それぞれ切時刻と入時刻を設定できる。例えば、タイマー１の入時刻を設定するには、タイマー１画面でタイマー１入時刻設定解除アイコン２ｃｅｉを選択して選択状態としたうえで、タイマー１入時刻時刻減少アイコン２ｃｅｊやタイマー１入時刻時刻増加アイコン２ｃｅｋを選択して設定時刻を変更する。設定状態ではタイマー１入時刻表示２ｃｅｈに表示された時刻にタイマーによる入操作が行われ、解除状態では設定された時刻にタイマー動作はしない。
【００６８】
同様に切時刻もタイマー１切時刻設定解除アイコン２ｃｅｎ、タイマー１切時刻時刻減少アイコン２ｃｅｏ、タイマー１切時刻時刻増加アイコン２ｃｅｐ、タイマー１切時刻表示２ｃｅｍを用いて設定する。設定状態は各時刻表示のほか、グラフィック表示２ｃｅｄでタイマー１とタイマー２を同時に認識可能に表示され、入状態と切状態を区別可能に表示するとともに、報知領域２ｃｅｆで次に行われるタイマー動作を時間とともに表示している。アイコンは他に、タイマー２の操作を行う画面を表示するためのタイマー２表示アイコン２ｃｅｑ、端末機器の操作画面２ｃａに戻るための戻るアイコン２ｃｅｆがあり、また、画面の表示として、表題２ｃｅｂ、床暖房機器の名称２ｃｅｃがあり、後者は端末機器の操作画面２ｃａに表示される名称２ｃａｂと同じ名称を表示している。
【００６９】
台所リモコン２では、床暖房制御手段２ｊにより温度変更画面２ｃｄａやタイマー設定画面２ｃｅａの操作結果に基づき、操作結果を反映するために、制御信号を熱源機通信手段２ｉから熱源機機器通信手段２２を通じて熱源機に送信する。
【００７０】
次に、図１３〜１９に操作手段構成手段２ｉが端末機器操作手段２ｈを構成する際のフローチャートを示す。
【００７１】
図１３では、まず、台所リモコン２から熱源機４に対し通信電文を送信し（５１）、熱源機４から受信電文が返信されて熱源機との通信が確立されるかどうかを調べ（５２）、通信が確立できず熱源機４と通信できない場合には非接続時設定（５３）へ進み、通信が確立されて熱源機４との通信が可能な場合には、接続時設定（５６）へ進む。なお、接続時設定に進む際には、非接続時設定がなされているかを確認（５４）し、非接続設定がなされている場合にはその設定が実際の接続状態と整合しているかを確認するために非接続時設定の確認（５５）を行い必要な処理を行っている。
【００７２】
非接続時設定（５３）では、図１４に示すように、まず、非接続時設定であることを台所リモコン２の表示手段２ｃに表示（５３ｂ）し、次に接続する端末機器の数を入力して（５３ｃ）、入力された端末の数の一覧表を表示し（５３ｄ）、この一覧表に端末機器の種類と端末機器を操作するために必要な情報を入力していく。一覧表は熱源機のコネクタの番号順で構成されており、ここで必要な処理を選択する（５３ｅ）。必要な情報の入力は、まず入力するコネクタの番号（端末番号）を選択して（５３ｉ、５３ｇ）そのコネクタに接続する機器の処理選択画面を表示させ（５３ｈ）、そこで操作者の選択に応じて機器の種類の選択（５３ｊ）、機器のＩＤの入力（５３ｋ）、設置する部屋の選択（５３ｌ）、表示させるアイコンの選択（５３ｍ）、操作手段を表示する表示位置の選択（５３ｎ）を行い、それぞれの設定ごとに非接続設定情報を更新する（５３ｐ）。
【００７３】
端末毎に入力が終わると決定ボタンを押し、機器一覧表示の処理選択（５３ｅ）へ戻る（５３ｏ）。機器一覧の処理選択（５３ｅ）では上記の端末番号選択のほかに、各端末の操作手段がどのように表示されるかを確認できるようにするために、プレビューの機能があり、これにより構成された端末機器操作手段２ｈを表示させ確認することができる（５３ｍ）。
【００７４】
プレビューにより修正があれば端末番号選択（５３ｇ）から再び各設定を修正し、修正が不要であればプレビューを閉じて、処理選択（５３ｉ）にて終了を選択して非接続設定を終了する（５３ｆ）。
【００７５】
接続時で非接続時設定がなされている場合に行う非接続時の確認（図１３の５５）は、図１５に示すように、まず、熱源機から接続端末情報取得（５５ｂ）を行い、熱源機のコネクタ１を指定（５５ｃ）して不一致の確認（５７）を行う。ここでは、非接続時設定で設定された端末機器のコネクタの番号に実際に端末機器が接続されているか否かを確認し表示設定で設定されてる端末番号に実際に端末が接続されてない場合、または、表示設定で設定されてないのに端末機器が接続されている場合に不一致として検出する。そして次のコネクタに進み（５５ｄ）同様に不一致の確認を行う全てのコネクタの確認が終了（５５ｅ）すると、全端末で不一致がなかった場合にはそのまま処理を終了（５５ｈ）し、一つでも不一致があった場合には（５５ｆ）台所リモコン２の表示手段２ｃに全体として不一致の端末が存在することを表示して、処理を終了する。
【００７６】
接続時設定（図１３の５６）では、図１６に示すように、まず台所リモコン２の表示手段２ｃに接続時設定であることを示す表示を行い（５６ｂ）、熱源機４と通信して熱源機４に接続された端末機器の有無の情報を取得し（５６ｃ）、もし端末機器が無ければ（５６ｄ）、その旨のメッセージを出力（５６ｅ）して終了し、端末機器が接続されていれば、端末機器詳細情報取得により個々の端末機器の接続情報を取得する（５６ｆ）。
【００７７】
ここで取得する接続詳細情報の内容は、接続位置情報である熱源機のコネクタ番号、番号毎の端末機器接続の有無、端末機器専用リモコンの有無、冷房機能の有無、乾燥機能の有無、端末機器の機種または機器に固有の識別ＩＤと、端末が使用する温水温度の情報、試運転済みか否かを示す符号、接続された年月日である。接続情報の内容を（表１）に示す。
【００７８】
【表１】
2005207635.tif 000003
次に、専用リモコン無端末処理（５８）に進み、取得した接続情報のうち専用リモコンの有無の情報を用いて、専用リモコン無の端末機器が接続されている場合の処理を行う。すなわち、床暖房リモコンなど専用リモコンがない端末機器では、情報端末がその全ての制御を司り、さらに温度選択、タイマー操作など専用リモコンの持つ機能を全て情報端末から操作可能にする必要があり、これらの機能を操作するアイコンと関連付けるために表示手段のあらかじめ決められた位置、本実施例では端末機器の表示画面の左側に配置されるようにしている。
【００７９】
図１８に専用リモコン無端末処理の詳細を示す。まずコネクタ番号１を指定（５８ｂ）して専用リモコンの有無を確認（５８ｃ）し、専用リモコンが無い端末であれば、専用リモコン無端末があることを記憶し（５８ｄ）、次に何台目の専用リモコン無端末かを確認して、１台目であれば表示位置を端末機器の表示画面の左端（５８ｆ）に、２台目であれば左から２番目に固定する（５８ｇ）。本実施例では専用リモコン無し端末を２台まで接続可能としているので、それ以上は考慮不要で無視するが、専用リモコンは３台以上であっても構わない。その場合、例えば左からｎ番目に表示位置を固定する。
【００８０】
そして、次のコネクタ番号を指定（５８ｈ）して、接続可能なコネクタの数だけ上記５８ｃ〜５８ｈの処理を行い、コネクタの数を超えると次の処理へ進む（５８ｉ）。５８ｄで記憶した専用リモコン無端末の有無により、専用リモコン無端末があれば（５８ｊ）床暖温度と床暖タイマーを設定するためのアイコンを端末機器の表示画面左下に表示させ（５８ｋ）、無い場合は表示させず処理を終了する。
【００８１】
この構成により、専用の床暖房リモコンの無い端末機器がある場合に、その端末機器のＯＮ／ＯＦＦを操作する操作手段と、温度設定を行う画面を開くアイコン、タイマー設定を行う画面を開くアイコンとを画面上の近傍に集めることができ、わかりやすく使いやすい操作手段を構成できる。
【００８２】
次に、非接続時と同様に端末機器の一覧表を表示（図１６の５６ｇ）する。ここで各端末機器に不一致がないかを確認（５６ｈ）し一つの端末機器でも不一致があれば台所リモコン２の表示手段２ｃに表示して不一致の端末が存在することを報知する（５６ｉ）。ここでの不一致の確認は、非接続時設定で行われた表示設定と実際に接続された端末機器との間で端末機器の種別に不一致が無いかを確認するもので、ここでは、高温端末か低温端末か、浴室暖房乾燥機であるか否か、冷房機能があるかどうかを確認している。次に表示された一覧表に端末機器の種類と端末機器を操作するために必要な情報を入力していく。一覧表は熱源機のコネクタの番号順で構成されており、ここで必要な処理を選択する（５６ｊ）。
【００８３】
必要な情報の入力は、まず入力するコネクタの端末番号を選択して（５６ｋ）、そのコネクタに接続する機器の処理画面を表示させ（５６ｌ）、そこで機器の種類の選択（５６ｍ）、設置する部屋の選択（５６ｎ）、表示させるアイコンの選択（５６ｏ）、操作手段を表示する表示位置の選択（５９）を行い、それぞれの設定ごとに非接続設定情報を更新（５６ｒ）するとともに、さらに設定された内容と接続機器との間に不一致がないかを確認する不一致確認（５７）を行ない、不一致があると不一致を表示して、処理選択（５６ｌ）に戻る。端末毎に入力が終わると決定ボタンを押し、再び全端末の不一致判定（５６ｈ）に戻り、不一致の判定を行った後機器一覧表示の処理選択（５６ｊ）へ戻る（５６ｑ）。
【００８４】
なお、表示位置の選択（５９）では、専用リモコンがない端末機器が表示手段上で表示される位置を固定して移動不可とし、そのほかの端末機器のみ表示位置の選択画面を操作することにより端末機器毎の操作手段の表示位置を変更することができるようにしている。操作手段の位置があらかじめ決められている端末があるために、その位置はそのほかの端末機器が占有することがないように操作手段の移動を制限している。
【００８５】
表示位置の選択処理の詳細を図１９に示す。まず、移動元が表示位置が固定された端末か否かを判定（５９ｂ）し、固定端末であれば処理をせず終了（５９ｒ）に進む。固定端末でなければ、まず表示領域１を指定して（５９ｃ）順に移動可能領域か否かを判定していく。移動先として指定できる領域は、表示位置固定端末が表示されてない位置（５９ｄ）、接続された端末の数から算出された必要とする表示領域を超えない位置（５９ｅ）、そして、移動後に不都合が発生しない位置（５９ｆ）の全てを満足する位置であり、これらの位置は移動可能領域（５９ｇ）、これら以外の位置を移動不可領域（５９ｈ）とする。
【００８６】
表示領域ごとに移動可能領域か不可領域かを判定すると次の領域を指定（５９ｉ）し、表示領域が終了すると移動可能領域を表示画面上に表示し、アイコンを選択することにより処理を実行する（５９ｋ）。
【００８７】
ここで、本実施例の表示位置選択画面２ｃｆを図２０に示す。図では画面の背景２ｃｆａ上に表題２ｃｆｂ、移動可能／不可領域表示部２ｃｆｃ、戻るアイコン２ｃｆｄ、左移動アイコン２ｃｆｅ、右移動アイコン２ｃｆｆ、確定アイコン２ｃｆｇがあり、移動可能／不可領域表示部２ｃｆｃでは、移動不可表示２ｃｆｃａ、移動可能表示２ｃｆｃｂ、カーソル２ｃｆｃｃがそれぞれ表示ごとに区別可能に表示される。カーソル２ｃｆｃｃは右移動アイコン２ｃｆｆにより移動可能表示２ｃｆｃｂ上を右に移動し（図１９の５９ｌ）、左移動アイコン２ｃｆｅにより移動可能表示２ｃｆｃｂ上を左に移動する（５９ｍ）。確定アイコン２ｃｆｇを選択する（５９ｎ）とカーソル位置に表示領域を確定し、移動元と移動先の表示端末を交換（５９ｐ）して処理を終了する（５９ｒ）。
【００８８】
一方、戻るアイコン２ｃｆｄを選択する（５９ｏ）と、移動処理を行わず、カーソルの位置に関わらずもとの表示状態に戻して（５９ｑ）処理を終了する（５９ｒ）。これにより、移動可能先のみ移動させることが可能となっている。
なお、移動後に不都合が発生しない位置とは、例えば、浴室暖房乾燥機の場合であれば、乾燥と暖房の二つの操作を可能とするために、２つの表示領域を占有するため、表示領域のもっとも右端を移動先として設定すると、正しく表示できない。本実施例ではこのように正しく表示できない位置には移動先として設定できないようにしている。
【００８９】
機器一覧の処理選択画面（図１６の５６ｈ）では上記の端末番号選択のほかに、各端末の操作手段がどのように表示されるかを確認できるようにするために、プレビューの機能があり、これにより操作手段を表示させ確認することができる（５６ｓ）。プレビューにより修正があれば端末番号選択（５６ｋ）から再び各設定を修正し、修正が不要であればプレビューを閉じて処理選択（５６ｊ）にて終了選択し（５６ｔ）、終了してよいかを確認（５６ｕ）した上でＯＫを選択した場合に非接続設定情報を接続設定情報に反映して（５６ｖ）接続設定を終了（５６ｗ）し、終了確認（５６ｕ）でＮｏを選択した場合は処理選択（５６ｊ）に戻り、表示設定を継続できる。
【００９０】
また、非接続時の確認（図１３の５５）と接続時設定（５６）の中で行われる不一致処理（５７）は、熱源機のコネクタ毎に行われる。
【００９１】
図１７に示すように、まず端末接続比較（５７ｂ）により対象のコネクタに端末機器が接続されているかどうかを確認し、熱源機が持つ複数のコネクタのうちどのコネクタにどの機器が接続されいているかを示す接続位置情報から一致と不一致を確認する。複数のコネクタのうち正しいコネクタに接続されているか否かの判定であり、熱源機２から取得した情報から得られるコネクタの接続位置と表示設定が一致しているかを確認するものである。
【００９２】
ここでは、非接続設定で表示設定が行われていて実際に端末機器が接続されている場合と、非接続設定で表示設定が行われておらず実際に端末機器が接続されてない場合とを一致しているとみなして端末接続一致（５７ｃ）に進む。
【００９３】
一方、接続設定で表示設定が行われているのに実際に端末機器が接続されていない場合と、非接続設定で表示設定が行われていないのに実際に端末機器が接続されている場合とを不一致とみなして端末接続不一致に進む（５７ｄ）。これらは端末接続一致フラグとして処理され、端末接続一致の場合、端末接続一致フラグ＝Ｌ、不一致のとき端末接続一致フラグ＝Ｈとしている。
【００９４】
次に、端末接続の有無により処理を変更し（５７ｅ）、端末接続無しの場合は不一致有無の判定（５７ｍ）へ進み、端末接続ありの場合は端末詳細情報取得（５７ｆ）へ進む。
【００９５】
端末機器詳細情報取得（５７ｆ）では端末機器詳細情報取得（５６ｆ）と同様に熱源機から端末機器の接続情報を取得し、この情報を元に不一致の判定を行う。まず、端末種別比較（５７ｇ）により非接続表示設定で設定された内容と実際に接続された端末とに不一致がないかを確認する。ここでは低温端末接続配管に接続すべき機器と高温端末接続配管に接続すべき機器とを区別し、正しく接続されているか否かを確認している。
【００９６】
非接続設定で低温端末接続配管に接続すべき機器が設定されていて実際にその端末が接続されている場合と、非接続設定で高温端末接続配管に接続すべき機器が設定されていて実際にその端末が接続されている場合とを一致しているとみなして端末種別一致（５７ｃ）に進む。
【００９７】
一方、非接続設定で低温端末接続配管に接続すべき機器が設定されているのに実際には高温端末接続配管に接続すべき端末機器が接続されている場合と、非接続設定で高温端末接続配管に接続すべき機器が設定されているのに実際には低温端末接続配管に接続すべき機器が接続されている場合とを不一致とみなして端末種別不一致に進む。これらは端末種別一致フラグとして処理され、端末種別一致の場合、端末種別一致フラグ＝Ｌ、不一致のとき端末種別一致フラグ＝Ｈとしている。
【００９８】
次に端末ＩＤ比較（５７ｊ）に進み、非接続表示設定で設定された端末ＩＤと実際に接続された端末機器の端末ＩＤとを比較して一致しているかを調べる。端末ＩＤは機器に固有の情報として保存されているものであり、これを比較することにより接続相手をより正確に認識することができる。両者が一致している場合には端末ＩＤ一致（５７ｋ）へ進み、一致してない場合には端末ＩＤ不一致（５７ｌ）へ進む。ここでも端末ＩＤ一致フラグとして処理され、端末ＩＤ一致の場合、端末ＩＤ一致フラグ＝Ｌ、不一致のとき端末ＩＤ一致フラグ＝Ｈとしている。
【００９９】
以上の処理が終わると各端末機器毎の不一致の判定を行い（５７ｍ）、不一致ありの場合に端末機器毎に不一致を示す表示を台所リモコン２の表示手段２ｃに表示する。
【０１００】
このような構成とすることにより、専用の床暖房リモコンの無い端末機器がある場合に、その端末機器のＯＮ／ＯＦＦを操作する操作手段と、温度設定を行う画面を開くアイコン、タイマー設定を行う画面を開くアイコンとを画面上の近傍に集めることができ、わかりやすく使いやすい操作手段を構成することができるので、使いやすいシステムを構成できる。
【０１０１】
また、専用の床暖房リモコンの無い端末機器が複数あっても、数に応じて固定位置を決定し、その端末機器のＯＮ／ＯＦＦを操作する操作手段と、温度設定を行う画面を開くアイコン、タイマー設定を行う画面を開くアイコンとを画面上の近傍に集めることができ、わかりやすく使いやすい操作手段を構成することができるので、使いやすいシステムを構成できる。
【０１０２】
また、表示位置の固定された端末機器が接続された場合に、固定された位置へその他の端末機器の操作手段を移動不可とすることにより、端末機器の様々な操作を行う操作手段に関連する位置にその他の端末機器の操作手段を構成してしまうことがなく、操作しやすさを維持できる。
【０１０３】
また、情報端末である台所リモコン以外に操作手段を持たない端末機器を認識した場合に、床暖温度アイコンや床暖タイマーアイコンといった端末機器の設定を行う操作を可能にする操作手段を台所リモコンに構成することにより、端末機器の持つ様々な機能を操作する操作手段を、その操作が必要な端末機器を認識したときに構成するので、必要なときに必要な操作を行うための操作手段を構成できる。
【０１０４】
また、情報端末である台所リモコン以外に操作手段を持たない端末機器を認識した場合に構成する操作手段を、床暖房の温度設定など端末機器の運転状態を設定する運転状態選択手段とすることにより、複数の運転状態を持つ端末機器の場合に資源供給手段から受信した接続情報に基づき端末機器の運転状態を設定する運転状態選択手段を操作手段として構成するので、端末機器を操作する手段が情報端末のみであっても情報端末から端末機器の複数の運転状態を切り替えることができる。
【０１０５】
また、情報端末である台所リモコン以外に操作手段を持たない端末機器を認識した場合に構成する操作手段を、端末機器の運転を制御する時刻を設定するタイマー設定手段とすることにより、設定したタイマーの時刻に合わせて運転をオンまたはオフにするタイマー機能を情報端末から操作できるので、端末機器を操作する手段が情報端末のみであってもタイマー機能を使用できる。
【０１０６】
なお、上記実施例では、構成する操作手段として、運転状態選択手段とタイマー設定手段を説明したが、端末機器の操作をロックするロック機能であってもよい。これにより、端末機器を長期間使用しない場合に間違って運転しないようにするロック手段を情報端末から操作できるので、端末機器を操作する手段が情報端末のみであってもロック手段を使用できる資源供給システムを提供することができる。
【０１０７】
なお、図１０に示すように台所リモコン２に構成された浴室暖房乾燥機７の操作手段は暖房機能と乾燥機能の両方を操作できるようになっている。これは、（表１）に示す熱源機４から取得した接続情報における、乾燥機能の有無の情報を用いることにより実現している。このように、熱源機４の持つ接続情報を用いることにより、操作手段構成手段は暖房運転と乾燥運転とを含む少なくとも２つの運転モードを切り替えて操作する操作手段を構成することにより、浴室暖房乾燥機の暖房機能と乾燥機能の少なくとも二つの機能を切り替えて操作できる操作手段を構成でき、端末機器の複数の機能を操作できる。
【０１０８】
さらに、接続情報にある冷房機能の有無の情報を用い暖房と冷房の二つの機能を操作できる操作手段を構成することも可能となる。このように端末機器が空調機の場合に、操作手段構成手段は暖房運転と冷房運転とを含む少なくとも２つの運転モードを切り替えて操作する操作手段を構成することにより、空調機が持つ暖房機能と冷房機能の少なくとも二つの機能を切り替えて操作できる操作手段を構成でき、端末機器の複数の機能を操作できる。
【０１０９】
このように、端末機器が浴室暖房乾燥機７やエアコンのように暖房や複数、冷房といった運転モードを持ち、情報端末２に構成する操作手段は、暖房乾燥機の暖房機能、乾燥機能など端末機器の複数の運転モードを変更する操作を行うことにより、端末機器の持つ複数の機能を切り替えて操作する操作手段を構成することができ、端末機器の複数の機能を操作できる。
【０１１０】
以上、資源供給手段である熱源機が持つ端末機器の接続情報に基づいて端末機器の機能にあわせた操作手段を情報端末である台所リモコンに構成することができるので、情報端末に端末機器がそれぞれ個別に持つ様々な機能を操作するための操作手段を構成することが可能で、使いやすい給湯暖房システムを構成できる。
【０１１１】
なお、上記の５３ｉ〜５３ｎおよび５６ｌ〜５６ｐによる操作手段の入力や修正は自動設定のルーチンで設定された表示位置やアイコン、機器名を修正したい場合に、あらかじめ記憶手段に記憶された内容から選択して表示を変えることができるようにしている。
【０１１２】
また、非接続設定、接続設定ともに、あらかじめ記憶された情報がある場合には、記憶された情報にもとづいて機器の種類、機器ＩＤ、部屋名、アイコン、表示位置が記憶されており、５３ｉ〜５３ｎおよび５６ｌ〜５６ｐによる操作手段の入力は、この記憶された内容を修正することにより行うことになる。
【０１１３】
なお、本実施例の資源供給システムでは、不一致となった端末機器は台所リモコン２から操作できないようにしているが、それだけでなく、不一致の操作手段を消去させてもよい。消去させることにより確実に操作できないようにできる上、不要な表示を削除することができる。
【０１１４】
また、不一致があっても情報端末が不一致の端末機器を入替えて不一致がなくなる組み合わせを探し修正する構成であってもよい。この修正は、工事の都合上接続するコネクタを当初予定していたコネクタから変更する場合に有用である。例えば、非接続時設定において設定された操作手段に対応するコネクタに対し接続時に端末が接続されてない場合に、端末種別と端末ＩＤが一致する端末機器が別のコネクタに接続されている場合に、自動的に修正することができる。これによって、不一致があっても適切な端末機器の操作手段として構成することができる。
【０１１５】
また、本実施例の資源供給システムでは、外部記憶手段２ｇとしてＳＤカードを用いているが、情報端末から必要なデータをコピーして取り出すことができ、これを他の情報端末にコピーすることができる外部記憶手段であれば、ＳＤカードに限らず、フロッピー（Ｒ）ディスク、ＭＯなど別の手段を用いてもよい。
【０１１６】
また、本実施例の資源供給システムでは、熱源機制御通信手段２２と情報通信手段１０との２種の通信手段を分離して記載しているが、これらを物理的に同一の線を用いて周波数や時間、パケット等で分離して通信する構成としてもよい。
【０１１７】
また、本実施例の資源供給システムは、給湯暖房システムの台所リモコン、床暖房機、浴室暖房機を例として表記しているが、家庭内、事務所内等で電気、温水、ガス、水などを供給するシステムにおいて端末機器を遠隔操作できるシステムであればいかなる用途であっても適用できる。
【０１１８】
上記実施例に述べた資源供給システムにより、温水に限らず、電力、ガス、水力などの資源を端末機器に供給し利用するシステムにおいて、情報端末から端末機器を操作するための操作手段を構成することができ、使いやすい資源供給システムを提供できる。
【０１１９】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【０１２０】
以上のように本発明にかかる資源供給システムおよびそのプログラムは、情報端末に端末機器がそれぞれ個別に持つ様々な機能を操作するための操作手段を構成することが可能で、使いやすい資源供給システムを提供することができる。また、温水を用いた給湯暖房システムに限らず、電力、ガス、水力、石油燃料などの資源を端末機器に供給し利用するシステムにおいても利用可能である。
【図面の簡単な説明】
【０１２１】
【図１】本発明の実施の形態１における資源供給システムの概要ブロック図
【図２】同システムのサーバーの詳細ブロック図
【図３】同システムの台所リモコン（情報端末）の詳細ブロック図
【図４】同システムの浴室リモコンの詳細ブロック図
【図５】同システムの熱源機の詳細ブロック図
【図６】同システムの第１の床暖房機の詳細ブロック図
【図７】同システムの第２の床暖房機の詳細ブロック図
【図８】同システムの浴室暖房機の詳細ブロック図
【図９】同システムの台所リモコン（情報端末）の外観図
【図１０】同システムの端末機器の操作手段の画面表示図
【図１１】同システムの端末機器の温度操作手段の画面表示図
【図１２】同システムの端末機器のタイマー操作手段の画面表示図
【図１３】同システムの操作手段生成の主要フローチャート
【図１４】同システムの操作手段生成の非接続時設定の詳細フローチャート
【図１５】同システムの操作手段生成の接続時の非接続設定内容確認の詳細フローチャート
【図１６】同システムの操作手段生成の接続時設定の詳細フローチャート
【図１７】同システムの操作手段生成の接続時の不一致確認の詳細フローチャート
【図１８】同システムの操作手段生成の床暖房リモコンが無い端末の場合の詳細フローチャート
【図１９】同システムの端末機器の表示位置変更時の詳細フローチャート
【図２０】同システムの端末機器の表示位置変更の画面表示図
【図２１】従来の暖房給湯システムのフローチャート
【符号の説明】
【０１２２】
２  台所リモコン（情報端末）
２ｃｄａ  温度変更画面（運転状態選択手段）
２ｃｅａ  タイマー設定画面（タイマー設定手段）
２ｈ  端末機器操作手段（操作手段）
２ｉ  操作手段構成手段
３  浴室リモコン（情報端末）
４  熱源機（資源供給手段）
５  第１の床暖房機（端末機器）
６  第２の床暖房機（端末機器）
７  浴室乾燥暖房機（端末機器）
２２  熱源機制御通信手段（資源供給手段制御通信手段）
【図１】
2005207635.tif 000004
【図２】
2005207635.tif 000005
【図３】
2005207635.tif 000006
【図４】
2005207635.tif 000007
【図５】
2005207635.tif 000008
【図６】
2005207635.tif 000009
【図７】
2005207635.tif 000010
【図８】
2005207635.tif 000011
【図９】
2005207635.tif 000012
【図１０】
2005207635.tif 000013
【図１１】
2005207635.tif 000014
【図１２】
2005207635.tif 000015
【図１３】
2005207635.tif 000016
【図１４】
2005207635.tif 000017
【図１５】
2005207635.tif 000018
【図１６】
2005207635.tif 000019
【図１７】
2005207635.tif 000020
【図１８】
2005207635.tif 000021
【図１９】
2005207635.tif 000022
【図２０】
2005207635.tif 000023
【図２１】
2005207635.tif 000024